(57)【要約】【課題】簡単な構成で、強固な取付強度を必要とせず、コスト的にも安価な角度調整機能付き鏡を提供せんとするものである。【解決手段】上端が揺動自在に支持される吊下げリンク４と、該吊下げリンク４の下端側に交差方向へ移動自在に連結して先端が相手方部材へ当接して支点部を形成する角度調整リンク５とで角度調整機構を構成する。そして、角度調整リンク５の後端に鏡を取り付けている。鏡の角度調整は、角度調整リンク５と吊下げリンク４との係合状態を調整することで行う。吊下げリンク４の揺動自在な枢支点部及び角度調整リンク５の支点部は、単純支持であり、曲げモーメントが発生することはない。従って、強固な取付強度を必要とせず、その構成等が極めて簡単であり、コスト的にも安価なものとなる。【選択図】  図１
2005124608.tif 000002
【特許請求の範囲】
【請求項１】
上端が揺動自在に支持される吊下げリンクと、該吊下げリンクの下端側に交差方向へ移動自在に連結して先端が相手方部材へ当接して支点部を形成する角度調整リンクと、該角度調整リンクの後端に取り付けた鏡とで構成したことを特徴とする角度調整機能付き鏡。
【請求項２】
吊下げリンクと角度調整リンクとの連結機構は、吊下げリンクに設けた雌螺子へ角度調整リンクに設けた雄螺子を螺合した螺子機構からなるものである請求項１に記載の角度調整機能付き鏡。
【請求項３】
吊下げリンクと角度調整リンクとの連結機構は、吊下げリンクに設けた挿通孔へ角度調整リンクを摺動自在に挿通させた摺動機構と、両リンクの間に摺動を拘束するストッパーとからなるものである請求項１に記載の角度調整機能付き鏡。
【請求項４】
吊下げリンクを支持する水平部と、角度調整リンクの支点部が当接する起立部を一体成形した吊下げ具を備えた請求項１乃至３のいずれか一つに記載の角度調整機能付き鏡。
【発明の詳細な説明】
【技術分野】
【０００１】
本発明は、洗面化粧台等に取り付けて使用され、その取付角度を調整することのできる角度調整機能付き鏡に関するものである。
【背景技術】
【０００２】
角度を調整する機能付きの鏡としては、例えば自動車の運転席と助手席の間の天井に設置されるバックミラーが公知である。このバックミラーは、球面状継手を有しており、その角度を調整することが可能である。
【０００３】
また特許文献１には、天井に対して昇降自在に取り付けた吊下げ部材に、鏡を角度調整自在に取り付けたものが公知である。吊下げ部材に取り付けた鏡は、内部のゼンマイの収縮力に反してこれを引き下げた状態で利用し、必要に応じてゼンマイを開放したときに、ゼンマイの復元力によって自動的に天井まで上がっていくように構成している。鏡の角度調整は、吊下げ部材の鏡取付具にボールジョイントを介して取り付けることで鏡の向きを自由に変更できるようにして行っている。
【０００４】
更に、特許文献２には、歯車によって回動するギアに鏡を固定し、ハンドルで歯車を回転させることで、鏡の角度を調整できるようにした技術が開示されている。
【特許文献１】実開昭５０−０６５７００号公報
【特許文献２】実開平６−０１７５５３号公報
【発明の開示】
【発明が解決しようとする課題】
【０００５】
特許文献１に記載された従来技術にあっては、鏡を天井から昇降自在に吊下げる機構及び必要に応じて自動的に天井側へ昇って復帰する機構の構成が複雑であった。また鏡の角度調整機構については、自動車のバックミラーの場合及び特許文献１並びに２の場合も、ボールジョイントを用いているが、金属製のボールジョイントでは非常に高価になるという欠点があり、また樹脂製のものでは経年変化により摺動部分が摩耗して角度調整機能が劣化するという欠点があった。
【０００６】
またいずれの従来技術の場合も、鏡を片持ち状に支持するものであり、ボールジョイント部及び取付基部に大きな曲げモーメントが発生するので、これらの部分の強度を強固にする必要があった。
【０００７】
本発明は従来の前記課題に鑑みてこれを改良除去したものであって、簡単な構成で、強固な取付強度を必要とせず、コスト的にも安価な角度調整機能付き鏡を提供せんとするものである。
【課題を解決するための手段】
【０００８】
而して、前記課題を解決するために本発明が採用した請求項１の手段は、上端が揺動自在に支持される吊下げリンクと、該吊下げリンクの下端側に交差方向へ移動自在に連結して先端が相手方部材へ当接して支点部を形成する角度調整リンクと、該角度調整リンクの後端に取り付けた鏡とで構成したことを特徴とする角度調整機能付き鏡である。
【０００９】
本発明が採用した請求項２の手段は、吊下げリンクと角度調整リンクとの連結機構は、吊下げリンクに設けた雌螺子へ角度調整リンクに設けた雄螺子を螺合した螺子機構からなるものである請求項１に記載の角度調整機能付き鏡である。
【００１０】
本発明が採用した請求項３の手段は、吊下げリンクと角度調整リンクとの連結機構は、吊下げリンクに設けた挿通孔へ角度調整リンクを摺動自在に挿通させた摺動機構と、両リンクの間に摺動を拘束するストッパーとからなるものである請求項１に記載の角度調整機能付き鏡である。
【００１１】
本発明が採用した請求項４の手段は、吊下げリンクを支持する水平部と、角度調整リンクの支点部が当接する起立部を一体成形した吊下げ具を備えた請求項１乃至３のいずれか一つに記載の角度調整機能付き鏡である。
【発明の効果】
【００１２】
請求項１の発明にあっては、吊下げリンクと角度調整リンクとの二つのリンクを交差して設け、角度調整リンクを移動自在にしたという極めてシンプルな構成である。また吊下げリンクの揺動自在な枢支点部及び角度調整リンクの支点部は、単純支持であって、曲げモーメントが発生することはない。従って、強固な取付強度を必要とせず、その構成並びに製造、使用方法等が極めて簡単であり、コスト的にも安価に提供することができる。
【００１３】
請求項２の発明にあっては、鏡の角度調整を螺子機構の螺合状態を調整するだけで行うことができ、簡単な操作で角度調整作業が行えるという利点がある。
【００１４】
請求項３の発明にあっては、ストッパーの拘束を開放して角度調整リンクを摺動させることによって、鏡の角度調整を行うことが可能であって、この場合も角度調整作業が極めて簡単である。
【００１５】
請求項４の発明にあっては、鏡を設置する相手方部材に吊下げ具を介して鏡を設置することができ、相手方部材の形状の制限を受け難いという利点がある。
【発明を実施するための最良の形態】
【００１６】
以下に、本発明の構成を図面に示す発明の実施の形態に基づいて説明すると次の通りである。図１は本発明の第１の実施の形態に係るものであり、図（Ａ）は洗面化粧台１のバックガード２に角度調整機能付きの鏡３を取り付けた場合の側面図、図（Ｂ）は角度調整機能付き鏡３の全体を裏面側から見た斜視図、図（Ｃ）は指で角度調整している状態を正面側から見た斜視図である。角度調整機能は、吊下げリンク４と、角度調整リンク５との二つのリンクを利用して行うように構成されている。
【００１７】
吊下げリンク４は、上部側にはフック部６が折り曲げ形成されており、上端４Ａはバックガード２に設けた凹部２Ａへ係合してこれに支持されるようになっている。また吊下げリンク４の下部側には、角度調整リンク５を取り付けるための雌螺子部７が設けられている。角度調整リンク５は、雄螺子部８の本体を有し、その先端側は相手方部材であるバックガード２に当接してこれに支持されるようになっている。また雄螺子部８の後端側には鏡３が取り付けられている。
【００１８】
このように構成された角度調整機能付き鏡３は、図１の図（Ｃ）に示すように、これを指で回転させることによって、吊下げリンク４に対する角度調整リンク５の螺合状態を調整でき、角度調整リンク５が吊下げリンク４からバックガード２側へ突出する寸法を変化させることができる。この寸法の変化により、吊下げリンク４は、その上端４Ａを枢支点として図（Ａ）の矢符の如く揺動する。つまり、角度調整リンク５の吊下げリンク４からバックガード２側への突出する寸法を増減させることにより、吊下げリンク４の上端４Ａを中心として吊下げリンク４が揺動し、吊下げリンク４に取り付けられた鏡３の姿勢が変化するようになる。このように、鏡３を回転させるだけの簡単な操作で、その取付角度（鏡３の向き）を調整することが可能である。
【００１９】
しかも、この場合の鏡３の支持は、吊下げリンク４の枢支点である上端４Ａのバックガード凹部２Ａへの係合（枢支点）、及び角度調整リンク５先端のバックガード２表面との接合（支点）が共に単純支持であり、鏡３を回転させて角度を調整する動作によってこれらの支持部の取付強度が影響を受ける等のことはない。そのため、これらの枢支点及び支点の取付強度を考慮することは不要である。
【００２０】
図２は、本発明の第２の実施の形態に係るものであり、吊下げリンク４の下部側に、角度調整リンク５を交差する方向へ摺動自在に挿通するための筒状の保持部４Ｂを設け、該筒状保持部４Ｂの外周面に径方向へ移動自在なストッパー９を配設している。ストッパー９は、角度調整リンク５の移動を拘束するためのものであり、この実施の形態では螺子部材である。その他の構成は前記第１の実施の形態の場合と同じである。
【００２１】
この第２の実施の形態では、ストッパー９を緩めて角度調整リンク５を吊下げリンク４に対して交差する方向へ進退させ、吊下げリンク４からの突出する寸法を変化させることで、鏡３の取付角度を調整するようにしている。そして、その取付角度を調整した後、ストッパー９をねじ込んで角度調整リンク５の移動を拘束して使用するようにしている。ねじ込み式の角度調整作用を、摺動式にした以外の構成並びに作用効果は、前記第１の実施の形態の場合と同じである。
【００２２】
図３は、本発明の第３の実施の形態に係る洗面化粧台１の側面図である。同図に示す如く、洗面化粧台１のバックガード２に吊下げ具１０を介して角度調整機能付き鏡３を取り付けるようにしている。鏡３の角度調整機能は、図１に示すもの又は図２に示すもののいずれであってもよい。吊下げ具１０は、吊下げリンク４の先端４Ａを係止するための部分を備えた水平部１１と、角度調整リンク５の先端側が当接して支持される起立部１２とを有し、水平部１１及び起立部１２が粘着シート等を介してバックガード２に取り付けられるようになっている。従って、この実施の形態では、バックガード２に角度調整機能付き鏡３を設置するための専用の凹部２Ａ（図１の図（Ａ）参照）が設けられていない場合であっても、容易に取り付けることが可能となるものである。その他の構成並びに作用効果は、前記第１又は第２の実施の形態の場合と同じである。
【００２３】
ところで、本発明は上述した実施の形態に限定されるものではなく、適宜の変更が可能である。例えば、吊下げリンク４の上端は、リングを介してバックガード２等の相手方部材へ取り付けるようにしてもよい。
【産業上の利用可能性】
【００２４】
本発明の角度調整機能付き鏡は、洗面化粧台以外にも他の家具や壁面等への取り付けが可能であり、取り付けの相手方部材は特に限定されるものではない。
【図面の簡単な説明】
【００２５】
【図１】本発明の第１の実施の形態に係るものであり、図（Ａ）は洗面化粧台のバックガードに角度調整機能付き鏡を取り付けた場合の側面図、図（Ｂ）は角度調整機能付き鏡の全体を裏面側から見た斜視図、図（Ｃ）は指で角度調整している状態を正面側から見た斜視図である。
【図２】本発明の第２の実施の形態に係る角度調整機能付き鏡の部分縦断面側面図である。
【図３】本発明の第３の実施の形態に係る角度調整機能付き鏡を洗面化粧台のバックガードに取り付けた場合の側面図である。
【符号の説明】
【００２６】
１…洗面化粧台、２…バックガード、２Ａ…バックガードに設けた凹部、３…鏡、４…  吊下げリンク、４Ａ…吊下げリンクの上端、５…角度調整リンク、６…吊下げリンクの  フック、７…吊下げリンクの雌螺子部、８…角度調整リンクの雄螺子部、９…ストッパ  ー、１０…吊下げ具、１１…水平部、１２…起立部
【図１】
2005124608.tif 000003
【図２】
2005124608.tif 000004
【図３】
2005124608.tif 000005